(57)【特許請求の範囲】
【請求項１】
ハカマ部材と、このハカマ部材内に下部が圧入固定される内筒部材とを備える口紅等の収納容器において、前記ハカマ部材の底面に透孔を形成するとともに、前記内筒部材の下端部の対向する部位に前記ハカマ部材内への圧入固定時に先端部が当接するとともに、前記透孔の内側周縁部と当接して該内筒部材の下端部を外方へ突出させる一対のロック片を一体形成したことを特徴とする口紅等の収納容器。
【請求項２】
ハカマ部材と、このハカマ部材内に下部が圧入固定される内筒部材とを備える口紅等の収納容器において、前記ハカマ部材の底面に透孔を形成するとともに、前記内筒部材の下端部の対向する部位に、両端部が一体形成された前記ハカマ部材内への圧入固定時に前記透孔の内側周縁部と当接して、該内筒部材の下端部を外方へ突出させるロック片を設けたことを特徴とする口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器に関する。
【０００２】
【従来の技術】
従来の口紅収納容器は金属材と合成樹脂材の部品が混合されたもので構成されるとともに、ハカマ部材内に内筒部材の下端部を接着剤や強嵌合固定により固定的に取付けている。
【０００３】
【発明が解決しようとする課題】
従来の口紅収納容器はハカマ部材と内筒部材とを一旦組み付けると取り外すことが困難で、再使用や再利用のために経済的に部品毎に分解することができないという欠点があった。
【０００４】
本発明は以上のような従来の欠点に鑑み、ハカマ部材と内筒部材とを強固に固定することができるとともに、ハカマ部材の底面の透孔より内部に棒状の治具を押し込むことにより、容易にハカマ部材と内筒部材の固定状態を解除して、再使用や再利用のための部品毎の分解が短時間で、楽に行なうことができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はハカマ部材と、このハカマ部材内に下部が圧入固定される内筒部材とを備える口紅等の収納容器において、前記ハカマ部材の底面に透孔を形成するとともに、前記内筒部材の下端部の対向する部位に前記ハカマ部材内への圧入固定時に先端部が当接するとともに、前記透孔の内側周縁部と当接して該内筒部材の下端部を外方へ突出させる一対のロック片を一体形成して口紅等の収納容器を構成している。
【０００７】
【発明の実施の形態】
以下、図面に示す実施の形態により、本発明を詳細に説明する。
【０００８】
図１ないし図６に示す本発明の第１の実施の形態において、１はハカマ部材で、このハカマ部材１は合成樹脂材あるいは金属材で形成された底面中央部に透孔２を有するハカマ部材本体３と、このハカマ部材本体３に下部が嵌合固定された、該ハカマ部材本体３の上端部より上方へ突出する外周部にキャップ嵌合部４が形成され、下部に内側に突出するリング状の嵌合部５が形成された金属材製のキャップ嵌合部材６とで構成されている。
【０００９】
７は前記ハカマ部材１内に下部が圧入固定される合成樹脂材製の内筒部材で、この内筒部材７は下部を除く外周部に螺旋部材挿入凹部８が形成された、前記キャップ嵌合部材６の嵌合部５と嵌合する内筒部材本体９と、この内筒部材本体９の前記螺旋部材挿入凹部８部位に形成された軸心方向の切欠部１０、１０と、前記内筒部材本体９の下端部の対向する部位に薄肉部１１、１１を介して一体形成された、前記ハカマ部材１内への圧入固定時に先端部が当接するとともに、前記透孔２の内側周縁部と当接して該内筒部材本体９の下端部を外方へ突出させる一対のロック片１２、１２とで構成されている。
【００１０】
１３は前記内筒部材７の螺旋部材挿入凹部８に取付けられる内壁面に螺旋溝１４、１４が形成された合成樹脂材製の螺旋部材である。
【００１１】
１５は前記螺旋部材１３の外周部を覆い、下端部が前記ハカマ部材１のキャップ嵌合部材６内に挿入された金属材製の外筒部材である。
【００１２】
１６は前記内筒部材７内を上下移動する口紅１７を支持した皿部材で、この皿部材１６には前記内筒部材７の切欠部１０、１０および前記螺旋部材１３の螺旋溝１４、１４と係合する係合ピン１８、１８が形成されている。
【００１３】
１９は前記外筒部材１５の外周部を覆い、前記ハカマ部材１のキャップ嵌合部材６のキャップ嵌合部４に着脱可能に嵌合するキヤップである。
【００１４】
上記構成の口紅収納容器２０は、内筒部材７の一対のロック片１２、１２の先端部が当接するように内側に曲げてハカマ部材１内に圧入することにより、キャップ嵌合部材６の嵌合部５と内筒部材７の下部外周部とが嵌合するとともに、一対のロック片１２、１２がハカマ部材１の透孔２の周縁部によって押し上げられるように回動するため、該一対のロック片１２、１２の根元部の内筒部材本体９の下端部を外方へ突出するように変形させ、ハカマ部材１と内筒部材７とを強嵌合固定状態にする。
【００１５】
組み付けられた口紅収納容器２０は従来と同様に使用することができるとともに、再使用や再利用を行うばあいには、図６に示すようにハカマ部材１の透孔２より内部に棒状の治具２１を押し込むことにより、一対のロック片１２、１２は内側に押し上げられ、先端部の当接状態が解除されると外方へ突出する力がなくなり、容易にハカマ部材１より内筒部材７を抜き取ることができ、各部品毎に分解することができる。
【００１６】
【発明の異なる実施の形態】
次に、図７ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図７ないし図９に示す本発明の第２の実施の形態において、前記本発明の第１の実施の形態と主に異なる点は、一方のロック片１２に他方のロック片１２の先端部の下部を覆うカバー片２２を形成した点で、このような一対のロック片１２、１２を一体形成した内筒部材７Ａを用いて構成した口紅収納容器２０Ａにしても前記本発明の第１の実施の形態と同様な作用効果が得られるとともに、一対のロック片１２、１２先端部を当接状態に確実にできる。
【００１８】
図１０ないし図１２に示す本発明の第３の実施の形態において、前記本発明の第１の実施の形態と主に異なる点は、一対のロック片１２、１２が形成された部位の内筒部材本体９の下部で、該ロック片１２、１２の両側部に位置する部位に変形を容易にする切欠部２３、２３、２３、２３を形成した内筒部材７Ｂを用いた点で、このように形成された内筒部材７Ｂを用いて構成した口紅収納容器２０Ｂにしても、前記本発明の第１の実施の形態と同様な作用効果が得られる。
【００１９】
図１３ないし図１５に示す本発明の第４の実施の形態において、前記本発明の第３の実施の形態と主に異なる点は、切欠部２３、２３、２３、２３が形成された部位の外部外壁面にハカマ部材１のキャップ嵌合部材６の嵌合部５に下部と係止する係止突片２４、２４を形成した内筒部材７Ｃを用いた点で、このような内筒部材７Ｃを用いて構成した口紅収納容器２０Ｃにしても、前記本発明の第３の実施の形態と同様な作用効果が得られる。
【００２０】
図１６ないし図１８に示す本発明の第５の実施の形態において、前記本発明の第１の実施の形態と主に異なる点は、内側中央部に溝ができる薄肉部２５を介して接続されたロック片１２Ａを一体形成した内筒部材７Ｄを用いた点で、このように形成された内筒部材７Ｄを用いて構成した口紅収納容器２０Ｄにしても、前記本発明の第１の実施の形態と同様な作用効果が得られる。
【００２１】
図１９ないし図２１に示す本発明の第６の実施の形態において、前記本発明の第４の実施の形態と主に異なる点は、内側中央部に溝ができる薄肉部２５を介して接続されたロック片１２Ａを一体形成した内筒部材７Ｅと、金属材製の螺旋部材１３Ａを用いた点で、このように形成された内筒部材７Ｅと螺旋部材１３Ａを用いて構成した口紅収納容器２０Ｅにしても、前記本発明の第４の実施の形態と同様な作用効果が得られる。
【００２２】
図２２ないし図２４に示す本発明の第７の実施の形態において、前記本発明の第５の実施の形態と主に異なる点は、ロック片１２Ｂの一端部を内筒部材本体９の下端内壁面に形成された係止凹部２６に係止できるように形成した内筒部材７Ｆを用いた点で、このように形成された内筒部材７Ｆを用いて構成した口紅収納容器２０Ｆにしても、前記本発明の第５の実施の形態と同様な作用効果が得られる。
【００２３】
なお、前記本発明の各実施の形態では口紅収納容器について説明したが、本発明はこれに限らず、皿部材にリップクリーム、スチックアイシャドウ、スチックファンデーション等の棒状化粧品を支持させても同様に実施することができる。
【００２４】
【発明の効果】
以上の説明から明らかなように、本発明にあっては次に列挙する効果が得られる。
【００２５】
（１）ハカマ部材と、このハカマ部材内に下部が圧入固定される内筒部材とを備える口紅等の収納容器において、前記ハカマ部材の底面に透孔を形成するとともに、前記内筒部材の下端部の対向する部位に前記ハカマ部材内への圧入固定時に先端部が当接するとともに、前記透孔の内側周縁部と当接して該内筒部材の下端部を外方へ突出させる一対のロック片を一体形成したので、内筒部材のハカマ部材内への押し込みによる透孔の内側周縁部にロック片が当接して変形することにより、内筒部材をハカマ部材に強固に嵌合固定することができる。
したがって、内筒部材のハカマ部材内への圧入固定が容易にできる。
【００２６】
（２）前記（１）によって、再使用や再利用の場合、ハカマ部材の透孔より内部に棒状の治具を挿入してロック片を押し上げることにより、ロック片のロック状態を解除することができる。
したがって、容易で短時間にハカマ部材から内筒部材を損傷させることなく、取り外すことができる。
【００２７】
（３）前記（１）によって、ハカマ部材に透孔を形成するとともに、内筒部材にロック片を設けるだけでよいので、容易に実施することができる。
【００２８】
（４）請求項２も前記（１）〜（３）と同様な効果が得られる。
【図面の簡単な説明】
【図１】本発明の第１の実施の形態の断面図。
【図２】本発明の第１の実施の形態のハカマ部材の一部破断面図。
【図３】本発明の第１の実施の形態の内筒部材の説明図。
【図４】本発明の第１の実施の形態の内筒部材の組付け状態の説明図。
【図５】本発明の第１の実施の形態の要部拡大断面図。
【図６】本発明の第１の実施の形態の内筒部材を取り外す場合の説明図。
【図７】本発明の第２の実施の形態の断面図。
【図８】本発明の第２の実施の形態の内筒部材の説明図。
【図９】本発明の第２の実施の形態の要部拡大断面図。
【図１０】本発明の第３の実施の形態の断面図。
【図１１】本発明の第３の実施の形態の内筒部材の説明図。
【図１２】本発明の第３の実施の形態の要部拡大断面図。
【図１３】本発明の第４の実施の形態の断面図。
【図１４】本発明の第４の実施の形態の内筒部材の説明図。
【図１５】本発明の第４の実施の形態の要部拡大断面図。
【図１６】本発明の第５の実施の形態の断面図。
【図１７】本発明の第５の実施の形態の内筒部材の説明図。
【図１８】本発明の第５の実施の形態の要部拡大断面図。
【図１９】本発明の第６の実施の形態の断面図。
【図２０】本発明の第６の実施の形態の内筒部材の説明図。
【図２１】本発明の第６の実施の形態の要部拡大断面図。
【図２２】本発明の第７の実施の形態の断面図。
【図２３】本発明の第７の実施の形態の内筒部材の説明図。
【図２４】本発明の第７の実施の形態の要部拡大断面図。
【符号の説明】
１：ハカマ部材、        ２：透孔、
３：ハカマ部材本体、    ４：キャップ嵌合部、
５：嵌合部、            ６：キャップ嵌合部材、
７、７Ａ〜７Ｆ：内筒部材、
８：螺旋部材挿入凹部、  ９：内筒部材本体、
１０：切欠部、          １１：薄肉部、
１２、１２Ａ、１２Ｂ：ロック片、
１３、１３Ａ：螺旋部材、１４：螺旋溝、
１５：外筒部材、        １６：皿部材、
１７：口紅、            １８：係合ピン、
１９：キャップ、
２０、２０Ａ〜２０Ｆ：口紅収納容器、
２１：治具、            ２２：カバー片、
２３：切欠部、          ２４：係止突片、
２５：薄肉部、          ２６：係止凹部。
【図１】
0004549466.tif 000002
【図２】
0004549466.tif 000003
【図３】
0004549466.tif 000004
【図４】
0004549466.tif 000005
【図５】
0004549466.tif 000006
【図６】
0004549466.tif 000007
【図７】
0004549466.tif 000008
【図８】
0004549466.tif 000009
【図９】
0004549466.tif 000010
【図１０】
0004549466.tif 000011
【図１１】
0004549466.tif 000012
【図１２】
0004549466.tif 000013
【図１３】
0004549466.tif 000014
【図１４】
0004549466.tif 000015
【図１５】
0004549466.tif 000016
【図１６】
0004549466.tif 000017
【図１７】
0004549466.tif 000018
【図１８】
0004549466.tif 000019
【図１９】
0004549466.tif 000020
【図２０】
0004549466.tif 000021
【図２１】
0004549466.tif 000022
【図２２】
0004549466.tif 000023
【図２３】
0004549466.tif 000024
【図２４】
0004549466.tif 000025